(57)【要約】【課題】  容器内収納のゲル状物等を、破損することなく、完全な形状の保ったままで容易に取出しできるよう設けた。【解決手段】  底壁２外周から垂設した脚筒３を上方延長して上端面開口の周壁４を起立する容器体１と、周壁上端面へ剥離可能に貼着させた頂壁10とを有し、脚筒３一部と、これに対向する脚筒一部とを、摘み部６としてこれ等両摘み部下方周壁部分を除去用帯部７として、これ等両帯部除去で収納物を取出しできるよう設けた。【選択図】  図１
2005212869.tif 000002
【特許請求の範囲】
【請求項１】
底壁２外周から垂設した脚筒３を上方延長して上端面開口の周壁４を起立する容器体１と、該容器体の周壁４上端面へ剥離可能に貼着させた頂壁10とを有し、
上記脚筒３一部と該一部と対向する脚筒部分とを摘み部６に形成し、これ等各摘み部と各摘み部下方の周壁部分とを破断可能な除去用帯部７としてこれ等帯部両側と、帯部と頂壁10との連続部へ破断用線８を穿設した
ことを特徴とするゲル状品等収納容器。
【請求項２】
上記摘み部６両側の破断用線８部分を切欠き部９で形成した
ことを特徴とする請求項１記載のゲル状品等収納容器。
【請求項３】
上記周壁４上端に外向きフランジ５を付設して頂壁10外周を外向きフランジ５上面へ貼着すると共に、少なくとも底壁２上方の周壁部分を上部大径のテーパ状部とした
ことを特徴とする、請求項１又は２記載のゲル状品等収納容器。
【発明の詳細な説明】
【技術分野】
【０００１】
本発明は収納容器を外して収納物の原形を損なわないままで取出すことが可能に設けたゲル状品等収納容器に関する。
【背景技術】
【０００２】
ゲル状食品収納容器として、凹球面状で上端面開放の容器体内へゲル状食品を収納させて容器体上面を頂壁で閉塞させ、又容器体底部から棒状に突出された突部を押すと突起部基端に周設した破断用線が切断されてその容器体に外気流入孔が形成され、すると容器体内面と、収納されているゲル状食品との間に外気が入って、容易にゲル状食品を取出し可能とした容器が知られている。
【０００３】
しかし上記棒状突起部は小さく、除去し難いため、容器体底壁の外周部から複数の脚を垂下させ、これ等脚下端よりも上方に位置させて容器体底面から板部を垂下させ、該板押圧により外気流入孔が開口できるようにした容器が知られている（特許文献１）。
【特許文献１】特開２００１−１３９０８７号公報
【発明の開示】
【発明が解決しようとする課題】
【０００４】
本発明は、上記ゲル状食品等の取出しが更に容易であるよう設けたものである。
【課題を解決するための手段】
【０００５】
第１の手段として底壁２外周から垂設した脚筒３を上方延長して上端面開口の周壁４を起立する容器体１と、該容器体の周壁４上端面へ剥離可能に貼着させた頂壁10とを有し、  上記脚筒３一部と該一部と対向する脚筒部分とを摘み部６に形成し、これ等各摘み部と各摘み部下方の周壁部分とを破断可能な除去用帯部７としてこれ等帯部両側と、帯部と頂壁10との連続部へ破断用線８を穿設した。
【０００６】
第２の手段として上記第１の手段を有すると共に上記摘み部６両側の破断用線８部分を切欠き部９で形成した。
【０００７】
第３の手段として、上記第１又は第２の手段を有すると共に上記周壁４上端に外向きフランジ５を付設して頂壁10外周を外向きフランジ５上面へ貼着すると共に、少なくとも底壁２上方の周壁部分を上部大径のテーパ状部とした。
【発明の効果】
【０００８】
請求項１記載のようにすることで、摘み部６は、底壁外周から垂下する脚筒３一部で形成するから、その摘み部６だけが容器体外面から突出している場合のように他物に当る等して破断用線８切断により一部が不用意に開口することはなく、摘み部両側の脚筒部分が保護壁となって摘み部６の破損を防止することとなる。又摘み部６を脚筒３一部と、該一部と対向する脚筒部分とに設け、それ等両摘み部６とそれ等摘み部下方の周壁部分とを除去用帯部７としたから、それ等両帯部除去と周壁４上端からの頂壁10剥離とで、容器体１は図２が二点鎖線で示すように両摘み部６間の底壁部分を中心として拡開変形させることが出来、よって収納のゲル状物の形状を全く損なうことなく容易に取出すことが可能となる。又該容器内へは、例えばアイスケーキ等容器内面から分離し難い物を収納することも考えられるが、このような収納物であっても上記両除去用帯部７を容器体から分離した後、収納物を取出すから、その取出しが容易となる。
【０００９】
請求項２のようにすることで、摘み部６を持ち易くすることが出来、除去用帯部７の除去を容易かつ迅速に行うことが出来る。
【００１０】
請求項３のようにすることで、容器体周壁上端面への頂壁10の貼着が容易となり、又上記収納物取出しに際しても容器体の拡開変形が容易となる。
【発明を実施するための最良の形態】
【００１１】
以下図面について説明する。各図は容器を倒立状態で示している。容器体１は、左右へ長い長方形状の底壁２外周から脚筒３を垂下し、又該脚筒を上方延長させて上端面開口の周壁４を起立し、その周壁上端には外向きフランジ５を付設している。上記脚筒３の左右両部の前後方向中間部の対向部分を摘み部６，６とし、これ等両摘み部の両側から周壁４上端までを、外向きフランジ部分を含めて除去用帯部７とする。その除去のため帯板両側と、その帯部と底壁２との連続部へ破断用線８を穿設している。該破断用線は肉薄線で形成し、その破断用線の両摘み部両側部分は、摘み部を摘み易くするため、切欠き９している。上記脚筒３および周壁４は、上部大径のテーパ状としているが、周壁だけをテーパ状とすることも考えられる。容器体平面形状は円形、楕円、その他任意形状とすることが出来る。
【００１２】
尚底壁２下面へはインモールドラベル21を貼着することが望ましい。該容器は図示のように容器を倒立させて店頭陳列することも考えられるから、上記のようにインモールドラベルを貼着させておくことで、容器体成形後に底壁下面へラベルを貼着する場合に比べて脚筒３がラベル貼着の邪魔になることがない便利がある。
【００１３】
周壁４上端には頂壁10外周を剥離可能に貼着させる。図示のように周壁上端へ外向きフランジ５を付設することで、その外向きフランジ上面を頂壁貼着用接着代とできる。頂壁10は耐水性を有する適宜シール材で形成すればよい。
【００１４】
上記容器内のゲル状物等11を取出す場合は、図３が示すように容器体倒立状態で摘み部６を持ち、下外方へ引くことで各除去用帯部７，７を破断除去した後、両摘み部間の底壁部分を中心として前後周壁部分上端を外方へ開けば容器体１は図示のように拡開して収納物を容易に取出すことが出来る。尚図示例において11a はプリン、ないしゼリーで、11b はそれ等の調味料としての蜜である。
【図面の簡単な説明】
【００１５】
【図１】本発明容器を倒立させた状態で示す斜視図である。
【図２】図１容器の断面図である。
【図３】収納物取出し状態で示す斜視図である。
【符号の説明】
【００１６】
１  容器体                          ２  底壁
３  脚筒                            ４  周壁
６  摘み部                          ７  除去用帯部
８  破断用線                        10  頂壁
【図１】
2005212869.tif 000003
【図２】
2005212869.tif 000004
【図３】
2005212869.tif 000005